(57)【特許請求の範囲】
【請求項１】
変圧器、遮断器、断路器、電力ケーブル等の各電力用移動機器（１）の位置を検出する測位装置（６ａ）と、該測位装置（６ａ）により測定した測定値を位置情報に処理する情報処理装置（７ａ）と、その位置情報をセンター装置（３）へ送信する通信装置（８ａ）と、から成る電力用移動機器側装置（４）と、
ナビゲーションシステムを有する各トラック・クレーン車（９）に装着され、該トラック・クレーン車（９）の位置を検出する測位装置（６ｃ）と、該測位装置（６ｃ）により測定した測定値を位置情報に処理する情報処理装置（７ｃ）と、その位置情報をセンター装置（３）へ送信し、かつ前記センター装置（３）と電力用移動機器（１）の搬送に関する情報を送受信する通信装置（８ｃ）と、から成るトラック・クレーン車側装置（５）と、
目的地情報を入出力する入出力装置（１０）と、前記各電力用移動機器（１）の位置情報及び前記各トラック・クレーン車（９）の位置情報を受信し、かつ前記トラック・クレーン車側装置（５）と電力用移動機器（１）の搬送に関する情報を送受信する通信装置（８ｂ）と、該位置情報を処理する情報処理装置（７ｂ）と、から成るセンター装置（３）と、を備え、  
前記センター装置（３）は、事故が発生した際に、工事用電源又は災害時の緊急電源確保のために、該センター装置（３）の通信装置（８ｂ）により受信した前記各電力用移動機器（１）の位置情報、前記各トラック・クレーン車（９）の位置情報、及び前記入出力装置（１０）により入力された目的地情報に基づいて、前記情報処理装置（７ｂ）により電力用移動機器（１）及びトラック・クレーン車（９）を選択し、
保管場所（１２）又は設置した目的地（２）にある前記選択した電力用移動機器（１）を積載し所定の目的地（２）へ搬送するために、前記センター装置（３）の通信装置（８ｂ）により、搬送指令、前記選択した電力用移動機器（１）の位置情報、及び前記目的地情報を前記選択したトラック・クレーン車（９）のトラック・クレーン車側装置（５）に送信する、ことを特徴とする電力用移動機器のロケーションシステム。
【請求項２】
変圧器、遮断器、断路器、電力ケーブル等の各電力用移動機器（１）の位置を検出する測位装置（６ａ）と、該測位装置（６ａ）により測定した測定値を位置情報に処理する情報処理装置（７ａ）と、その位置情報をセンター装置（３）へ送信する通信装置（８ａ）と、から成る電力用移動機器側装置（４）と、
各トラック・クレーン車（９）に装着され、該トラック・クレーン車（９）の位置を検出する測位装置（６ｃ）と、該測位装置（６ｃ）により測定した測定値を位置情報に処理する情報処理装置（７ｃ）と、その位置情報をセンター装置（３）へ送信し、かつ前記センター装置（３）と電力用移動機器（１）の搬送に関する情報を送受信する通信装置（８ｃ）と、から成るトラック・クレーン車側装置（５）と、
目的地情報を入出力する入出力装置（１０）と、前記各電力用移動機器（１）の位置情報及び前記各トラック・クレーン車（９）の位置情報を受信し、かつ前記トラック・クレーン車側装置（５）と電力用移動機器（１）の搬送に関する情報を送受信する通信装置（８ｂ）と、該位置情報を処理する情報処理装置（７ｂ）と、から成るセンター装置（３）と、を備え、
前記センター装置（３）は、事故が発生した際に、工事用電源又は災害時の緊急電源確保のために、該センター装置（３）の通信装置（８ｂ）により受信した前記各電力用移動機器（１）の位置情報、前記各トラック・クレーン車（９）の位置情報、及び前記入出力装置（１０）により入力された目的地情報に基づいて、前記情報処理装置（７ｂ）により電力用移動機器（１）及びトラック・クレーン車（９）を選択し、かつ保管場所（１２）又は設置した目的地（２）にある該選択した電力用移動機器（１）を積載し所定の目的地（２）へ搬送するためのルート情報を検索し、
前記センター装置（３）の通信装置（８ｂ）により、搬送指令、前記ルート情報、前記選択した電力用移動機器（１）の位置情報、及び前記目的地情報を前記選択したトラック・クレーン車（９）のトラック・クレーン車側装置（５）に送信する、ことを特徴とする電力用移動機器のロケーションシステム。
【請求項３】
前記センター装置（３）の情報処理装置（７ｂ）におけるルート情報は、電力用移動機器（１）を目的地（２）へ短時間で到着させるための最適ルートの情報又は目的地（２）への搬送距離を考慮し最小コストとなるルートの情報である、ことを特徴とする請求項２に記載の電力用移動機器のロケーションシステム。
【請求項４】
前記電力用移動機器（１）の位置情報を送信するために、該電力用移動機器（１）自体に前記情報処理装置（７ａ）と通信装置（８ａ）を装着した、ことを特徴とする請求項１乃至３のいずれか１つに記載の電力用移動機器のロケーションシステム。
【請求項５】
変圧器、遮断器、断路器、電力ケーブル等の各電力用移動機器（１）の位置情報及び各トラック・クレーン車（９）の位置情報をセンター装置（３）に定期的に送信し、
事故が発生した際には、工事用電源又は災害時の緊急電源確保のために、目的地情報をセンター装置（３）に入力し、
送信された前記各電力用移動機器（１）の位置情報、前記各トラック・クレーン車（９）の位置情報、及び入力された前記目的地情報に基づいて、前記センター装置（３）が前記電力用移動機器（１）及び該電力用移動機器（１）を積載、搬送するための前記トラック・クレーン車（９）を選択し、
前記選択されたトラック・クレーン車（９）に搬送指令、選択された前記電力用移動機器（１）の位置情報、及び前記目的地情報を送信し、
前記選択されたトラック・クレーン車（９）が、前記選択された電力用移動機器（１）の位置情報及び前記目的地情報に基づき、ナビゲーションシステムを用いて、保管場所（１２）又は設置した目的地（２）にある該選択された電力用移動機器（１）を積載し、所定の目的地（２）へ搬送する、ことを特徴とする電力用移動機器の管理方法。
【請求項６】
変圧器、遮断器、断路器、電力ケーブル等の各電力用移動機器（１）の位置情報及び各トラック・クレーン車（９）の位置情報をセンター装置（３）に定期的に送信し、
事故が発生した際には、工事用電源又は災害時の緊急電源確保のために、目的地情報をセンター装置（３）に入力し、
送信された前記各電力用移動機器（１）の位置情報、前記各トラック・クレーン車（９）の位置情報、及び入力された前記目的地情報に基づいて、前記センター装置（３）が前記電力用移動機器（１）及び前記トラック・クレーン車（９）を選択すると共に、該電力用移動機器（１）を積載、搬送するためのルート情報を検索し、
選択された前記トラック・クレーン車（９）に搬送指令、前記ルート情報、選択された前記電力用移動機器（１）の位置情報、及び前記目的地情報を送信し、
選択された前記トラック・クレーン車（９）が、送信された前記ルート情報、選択された前記電力用移動機器（１）の位置情報、及び前記目的地情報に基づいて、保管場所（１２）又は設置した目的地（２）にある選択された電力用移動機器（１）を積載し、所定の目的地（２）へ搬送する、ことを特徴とする電力用移動機器の管理方法。
【請求項７】
前記センター装置（３）が検索するルート情報は、前記電力用移動機器（１）を目的地（２）へ短時間で到着させるための最適ルートの情報又は目的地（２）への搬送距離を考慮して最小コストとなるルートの情報である、ことを特徴とする請求項６の電力用移動機器の管理方法。
【請求項８】
前記所定の目的地（２）に設置した前記電力用移動機器（１）の位置情報を検出すると共に、この検出した位置情報をセンター装置（３）へ定期的に送信し、
前記センター装置（３）からの指示と共に前記位置情報を基に、電力用移動機器（１）を設置した目的地（２）から該電力用移動機器（１）を電気所等の保管場所（１２）へ返送する指示を前記トラック・クレーン車側装置（５）へ送信して該電力用移動機器（１）を保管場所（１２）へ返送する、ことを特徴とする請求項５乃至７のいずれか１つに記載の電力用移動機器の管理方法。
【発明の詳細な説明】
【技術分野】
【０００１】
本発明は、電力系統又は変電所において事故が発生し、又は機器の点検作業をする際に、変圧器、遮断器、断路器又は電力ケーブル等の電力用移動機器をトラック又はトレーラー等に積載して電気所等へ搬送し、クレーン車で設置すると共に、その電力用移動機器の位置を的確に把握することができる電力用移動機器のロケーションシステム及びその管理方法に関する。
【背景技術】
【０００２】
電力系統又は変電所において事故が生じた際に、更に工事用電源或いは災害時の緊急電源確保のために使用される移動用変圧器が提案されている。移動用変圧器以外に、遮断器、断路器、電力ケーブル等の電力用移動機器は、事故発生時や機器点検作業時に、搬送委託会社等の搬送者が保管場所まで取りに行き、電気所等の目的地まで搬送して使用している。搬送者は、複数の電力用移動機器の中から、所定の目的地に迅速に搬送し、その場所で設置する必要がある。
【０００３】
そこで、車両の位置、あるいはバス停や搬送車両ターミナルへの到着時刻などを高精度に提示できるようにしたシステムが提案されている。例えば、特許文献１の特開２００３−１６５８７公報の「運行情報提供システム」のように、車両に搭載された車載装置と、表示装置を有し、前記車両が定常的に停止する地点に設置されている停止点側装置と、車載装置及び停止点側装置に対する通信機能を有するセンタ装置とを備え、表示装置により車両の運行情報を表示する運行情報提供システムにおいて、車載装置は、測位装置を備え、測位装置で測位した位置情報を基に車両の現在位置を算出し、センタ装置は、車載装置が算出した車両の現在位置と、車両の運行経路における停止点側装置の位置情報とを比較して、車両が次に到着する停止点側装置を判定し、停止点側装置は、センタ装置から受信した運行情報を基に表示装置への表示を行うものが提案されている。
【特許文献１】特開２００３−１６５８７公報
【発明の開示】
【発明が解決しようとする課題】
【０００４】
しかし、電力用移動機器は電気所に保管してあるため、搬送指示を受けた搬送者は電気所を探すのに時間を要することがある。事故対応時には停電が長時間になると、需要家は多大な不便を被ることがある。特許文献１の「運行情報提供システム」は、定期的に定められた経路を運行する搬送システムに適応したものであり、またこの運行情報提供システムにおける車載装置は自己情報を送信する構成であり、突発的に発生する電力機器の故障に迅速に対応することができないという問題を有していた。
【０００５】
本発明は、かかる問題点を解決するために創案されたものである。すなわち、本発明の目的は、電力用移動機器に測位装置や位置情報を発信する装置を搭載することで、電力用移動機器を搬送するトラック・クレーン車側の通信を双方向にすると共に、センター装置からトラック・クレーン車へ目的地情報を送信することにより、電力用移動機器の配置と搬送の最適化と省力化を図ることができる電力用移動機器のロケーションシステム及びその管理方法を提供することにある。
【課題を解決するための手段】
【０００６】
本発明のロケーションシステムは、変圧器、遮断器、断路器、電力ケーブル等の各電力用移動機器（１）の位置を検出する測位装置（６ａ）と、該測位装置（６ａ）により測定した測定値を位置情報に処理する情報処理装置（７ａ）と、その位置情報をセンター装置（３）へ送信する通信装置（８ａ）と、から成る電力用移動機器側装置（４）と、ナビゲーションシステムを有する各トラック・クレーン車（９）に装着され、該トラック・クレーン車（９）の位置を検出する測位装置（６ｃ）と、該測位装置（６ｃ）により測定した測定値を位置情報に処理する情報処理装置（７ｃ）と、その位置情報をセンター装置（３）へ送信し、かつ前記センター装置（３）と電力用移動機器（１）の搬送に関する情報を送受信する通信装置（８ｃ）と、から成るトラック・クレーン車側装置（５）と、目的地情報を入出力する入出力装置（１０）と、前記各電力用移動機器（１）の位置情報及び前記各トラック・クレーン車（９）の位置情報を受信し、かつ前記トラック・クレーン車側装置（５）と電力用移動機器（１）の搬送に関する情報を送受信する通信装置（８ｂ）と、該位置情報を処理する情報処理装置（７ｂ）と、から成るセンター装置（３）と、を備え、前記センター装置（３）は、事故が発生した際に、工事用電源又は災害時の緊急電源確保のために、該センター装置（３）の通信装置（８ｂ）により受信した前記各電力用移動機器（１）の位置情報、前記各トラック・クレーン車（９）の位置情報、及び前記入出力装置（１０）により入力された目的地情報に基づいて、前記情報処理装置（７ｂ）により電力用移動機器（１）及びトラック・クレーン車（９）を選択し、保管場所（１２）又は設置した目的地（２）にある前記選択した電力用移動機器（１）を積載し所定の目的地（２）へ搬送するために、前記センター装置（３）の通信装置（８ｂ）により、搬送指令、前記選択した電力用移動機器（１）の位置情報、及び前記目的地情報を前記選択したトラック・クレーン車（９）のトラック・クレーン車側装置（５）に送信する、ことを特徴とする。
また、変圧器、遮断器、断路器、電力ケーブル等の各電力用移動機器（１）の位置を検出する測位装置（６ａ）と、該測位装置（６ａ）により測定した測定値を位置情報に処理する情報処理装置（７ａ）と、その位置情報をセンター装置（３）へ送信する通信装置（８ａ）と、から成る電力用移動機器側装置（４）と、各トラック・クレーン車（９）に装着され、該トラック・クレーン車（９）の位置を検出する測位装置（６ｃ）と、該測位装置（６ｃ）により測定した測定値を位置情報に処理する情報処理装置（７ｃ）と、その位置情報をセンター装置（３）へ送信し、かつ前記センター装置（３）と電力用移動機器（１）の搬送に関する情報を送受信する通信装置（８ｃ）と、から成るトラック・クレーン車側装置（５）と、目的地情報を入出力する入出力装置（１０）と、前記各電力用移動機器（１）の位置情報及び前記各トラック・クレーン車（９）の位置情報を受信し、かつ前記トラック・クレーン車側装置（５）と電力用移動機器（１）の搬送に関する情報を送受信する通信装置（８ｂ）と、該位置情報を処理する情報処理装置（７ｂ）と、から成るセンター装置（３）と、を備え、前記センター装置（３）は、事故が発生した際に、工事用電源又は災害時の緊急電源確保のために、該センター装置（３）の通信装置（８ｂ）により受信した前記各電力用移動機器（１）の位置情報、前記各トラック・クレーン車（９）の位置情報、及び前記入出力装置（１０）により入力された目的地情報に基づいて、前記情報処理装置（７ｂ）により電力用移動機器（１）及びトラック・クレーン車（９）を選択し、かつ保管場所（１２）又は設置した目的地（２）にある該選択した電力用移動機器（１）を積載し所定の目的地（２）へ搬送するためのルート情報を検索し、前記センター装置（３）の通信装置（８ｂ）により、搬送指令、前記ルート情報、前記選択した電力用移動機器（１）の位置情報、及び前記目的地情報を前記選択したトラック・クレーン車（９）のトラック・クレーン車側装置（５）に送信する、ことを特徴としてもよい。
前記センター装置（３）の情報処理装置（７ｂ）におけるルート情報は、電力用移動機器（１）を目的地（２）へ短時間で到着させるための最適ルートの情報又は目的地（２）への搬送距離を考慮し最小コストとなるルートの情報であることが好ましい。
前記電力用移動機器（１）の位置情報を送信するために、該電力用移動機器（１）自体に前記情報処理装置（７）と通信装置（８）を装着することが好ましい。
【０００７】
本発明の管理方法は、変圧器、遮断器、断路器、電力ケーブル等の各電力用移動機器（１）の位置情報及び各トラック・クレーン車（９）の位置情報をセンター装置（３）に定期的に送信し、事故が発生した際には、工事用電源又は災害時の緊急電源確保のために、目的地情報をセンター装置（３）に入力し、送信された前記各電力用移動機器（１）の位置情報、前記各トラック・クレーン車（９）の位置情報、及び入力された前記目的地情報に基づいて、前記センター装置（３）が前記電力用移動機器（１）及び該電力用移動機器（１）を積載、搬送するための前記トラック・クレーン車（９）を選択し、前記選択されたトラック・クレーン車（９）に搬送指令、選択された前記電力用移動機器（１）の位置情報、及び前記目的地情報を送信し、前記選択されたトラック・クレーン車（９）が、前記選択された電力用移動機器（１）の位置情報及び前記目的地情報に基づき、ナビゲーションシステムを用いて、保管場所（１２）又は設置した目的地（２）にある該選択された電力用移動機器（１）を積載し、所定の目的地（２）へ搬送する、ことを特徴とする。
また、変圧器、遮断器、断路器、電力ケーブル等の各電力用移動機器（１）の位置情報及び各トラック・クレーン車（９）の位置情報をセンター装置（３）に定期的に送信し、
事故が発生した際には、工事用電源又は災害時の緊急電源確保のために、目的地情報をセンター装置（３）に入力し、送信された前記各電力用移動機器（１）の位置情報、前記各トラック・クレーン車（９）の位置情報、及び入力された前記目的地情報に基づいて、前記センター装置（３）が前記電力用移動機器（１）及び前記トラック・クレーン車（９）を選択すると共に、該電力用移動機器（１）を積載、搬送するためのルート情報を検索し、選択された前記トラック・クレーン車（９）に搬送指令、前記ルート情報、選択された前記電力用移動機器（１）の位置情報、及び前記目的地情報を送信し、選択された前記トラック・クレーン車（９）が、送信された前記ルート情報、選択された前記電力用移動機器（１）の位置情報、及び前記目的地情報に基づいて、保管場所（１２）又は設置した目的地（２）にある選択された電力用移動機器（１）を積載し、所定の目的地（２）へ搬送する、ことを特徴としてもよい。
【０００８】
前記センター装置（３）が検索するルート情報は、前記電力用移動機器（１）を搬送先である目的地（２）へ短時間で到着させるための最適ルートの情報又は搬送先である目的地（２）への搬送距離を考慮して最小コストとなるルートの情報であることが好ましい。
さらに、前記目的地（２）に設置した前記電力用移動機器（１）の位置情報を検出すると共に、この検出した位置情報をセンター装置（３）へ定期的に送信し、前記センター装置（３）からの指示と共に前記位置情報を基に、電力用移動機器（１）を設置した目的地（２）から該電力用移動機器（１）を電気所等の保管場所（１２）へ返送する指示を前記トラック・クレーン車側装置（５）へ送信して該電力用移動機器（１）を保管場所（１２）へ返送してもよい。
【発明の効果】
【０００９】
上記構成の発明では、電力用移動機器（１）の搬送が必要な事象が発生したときに、センター装置（３）からの指示と共に位置情報を基に、電力用移動機器（１）を保管している電気所等の保管場所（１２）から、目的地（２）へ搬送する指示をトラック・クレーン車側装置（５）へ連絡することにより、電力用移動機器（１）を目的地（２）へ短時間で到着させることができる。更に、電力用移動機器（１）が既に設置された目的地（２）から、他の目的地（２）へ搬送する指示をトラック・クレーン車側装置（５）へ連絡することにより、電力用移動機器（１）を新たな目的地（２）により短時間で到着させることができる。
【００１０】
また、本発明では電力用移動機器（１）の位置が容易に確認できるため、盗難されたとこも容易に早期発見することができる。
【発明を実施するための最良の形態】
【００１１】
本発明は、事故発生時、工事用電源又は災害時の緊急電源確保のために変圧器、遮断器、断路器、電力ケーブル等の電力用移動機器を所定の目的地まで搬送して使用すると共に、これらの電力用移動機器をセンター装置で管理し、搬送又は回収する方法である。
【実施例１】
【００１２】
以下、本発明の好ましい実施の形態を図面を参照して説明する。
図１は本発明の電力用移動機器のロケーションシステム及びその管理方法の実施の形態を示すブロック図である。
実施例１の電力用移動機器のロケーションシステムは、事故発生時、工事用電源又は災害時の緊急電源確保のために電力用移動機器１を所定の目的地２へ搬送して設置すると共に、この電力用移動機器１をセンター装置３で配置指示するために、電力用移動機器側装置４とセンター装置３とトラック・クレーン車側装置５とを備えたロケーションシステムである。
【００１３】
電力用移動機器側装置４は、変圧器、遮断器、断路器、電力ケーブル等の電力用移動機器１の位置を検出する測位装置６ａと、測位装置６ａにより測定した測定値を位置情報に処理する情報処理装置７ａと、その位置情報をセンター装置３へ連絡する通信装置８ａと、から成る。
センター装置３は、電力用移動機器側装置４の位置情報を受信すると共に、トラック・クレーン車側装置５と送受信する通信装置８ｂと、その位置情報を処理する情報処理装置７ｂと、その位置情報に関するデータを記憶する記憶装置１１と、から成る。
トラック・クレーン車側装置５は、センター装置３から「搬送指令及び電力用移動機器の位置情報」について送受信する通信装置８ｃと、トラック・クレーン車９の位置を検出する測位装置６ｃと、測位装置６ｃにより測定した測定値を位置情報に処理する情報処理装置７ｃと、から成る。
このロケーションシステムは、電力用移動機器１内に位置情報を発信するＧＰＳ等の測位装置６ａを備え、自己の位置を測位して計算し、この計算した位置情報は通信装置８ａで定期的にセンター装置３へ送信するシステムである。
【００１４】
センター装置３は、電力用移動機器１に搭載した通信装置８ａから上述した位置情報を通信装置８ｂ（入力部）で受信する。この位置情報を受信したセンター装置３では、情報処理装置７ｂ、入出力装置１０、「現在位置情報」等の記憶装置１１を備えたものである。センター装置３は、電気所等の電力用移動機器１を保管している保管場所１２の選択、トラック・クレーン車９の選択、センター装置３における電力用移動機器１の搬送のための最適ルートの検索処理し、その指示内容を所定の保管場所１２、トラック・クレーン車９、目的地２へ連絡する。
【００１５】
センター装置３において管理する情報は、個々の電力用移動機器１からの位置情報の他に、目的地２と保管場所１２との距離、電力用移動機器１の搬送可能な時間等の各種情報がある。これらの情報について必要に応じて選択し、記憶装置１１に入力して管理する。
【００１６】
更に、保管場所１２における電力用移動機器１の種類、保有台数及び出荷中の台数、これを牽引するトラック・クレーン車９の台数及び運転者の人員等についても、センター装置３における情報処理装置７ｂに入力して管理する。
【００１７】
このセンター装置３では、目的地２からの電力用移動機器１に関する情報と、保管場所１２からの電力用移動機器１に関する各情報に基づいて最適な電力用移動機器１の搬送計画を立案する。例えば、特定の目的地２に一時設置した電力用移動機器１を他の電力用移動機器１に交換する場合について、最短距離の保管場所１２から電力用移動機器１を搬送させ、設置を完了する。このトラック・クレーン車９は使用後の電力用移動機器１を積載して保管場所１２へ返送し、または別の目的地２へ搬送する。
【００１８】
トラック・クレーン車側装置５には、出力装置１３を備える。更に、電力用移動機器１の傾きを検知する傾斜センサ（図示していない）を備えることが好ましい。本発明のロケーションシステムでは、複数の目的地２に設置した電力用移動機器１について、その位置情報の他に傾斜の変化等の情報をセンター装置３において一元管理する。
【００１９】
図２は実施例１の電力用移動機器の管理方法のフロー図である。図３は実施例１の電力用移動機器の管理方法の説明概略図である。
本発明の電力用移動機器の管理方法は、事故発生時、工事用電源又は災害時の緊急電源確保のために変圧器、遮断器、断路器、電力ケーブル等の電力用移動機器１を所定の目的地２まで搬送して使用するために、管理の中枢となるセンター装置３が電力用移動機器１の搬送をトラック・クレーン車側装置５へ指示する。あるいは、搬送会社へその搬送の依頼を発する。このように電力用移動機器１を一時設置した目的地２の位置情報を検出すると共に、この検出した位置情報をセンター装置３へ定期的に連絡する。
【００２０】
センター装置３では稼動中又は待機中のトラック・クレーン車９の位置が把握できる。電力用移動機器１から送信された位置情報を受信したセンター装置３は、電力用移動機器１に最も近い位置に存在するトラック・クレーン車９を検索し、その結果を表示する。搬送依頼を受けた搬送会社又は搬送指示を受けたオペレーターは結果を確認し、該当するトラック・クレーン車９に電力用移動機器１の搬送指令を出し、位置情報を送信する。即ち、管理の中心として機能するセンター装置３からの指示と共に電力用移動機器１の位置情報を基に、保管場所１２にある電力用移動機器１を目的地２へ搬送する指示をトラック・クレーン車側装置５へ連絡する。または、既に電力用移動機器１を設置した目的地２から他の目的地２へ搬送する指示をトラック・クレーン車側装置５へ連絡する。搬送指令を受けたトラック・クレーン車９は、受信した位置情報を基にナビゲーションシステムで目的の電気所へ短時間で到着できる
【００２１】
電力用移動機器１を保管場所１２から目的地２に搬送するときは、この電力用移動機器１は、トラック９に積載して保管場所１２と目的地２間を搬送する。この電力用移動機器１を目的地２に設置して稼動させた後、この電力用移動機器１をトラック・クレーン車９を用いて保管場所１２へ返送し、また他の目的地２に搬送する。
【００２２】
このとき、センター装置３からの指示により、目的地２と電力用移動機器１の保管場所１２間の電力用移動機器１の搬送距離を考慮して最小コストになるように保管場所１２から電力用移動機器１を新たな目的地２へ搬送することにより、電力用移動機器１を目的地２へ短時間で到着させることができる。
【００２３】
または、センター装置３からの指示により、新たな目的地２と電力用移動機器１を既に設置している目的地２間の電力用移動機器１の搬送距離を考慮して最小コストになるように目的地２から電力用移動機器１を新たな目的地２へ搬送する。即ち、電力用移動機器１を保管場所１２へ戻すことなく、次の目的地２へ搬送することにより効率的な稼動を実現する。
【００２４】
図４は電力用移動機器として移動用変圧器をトラックに搭載した一例を示す側面図である。
電力用移動機器１の一例として移動用変圧器をトラック９で搬送するときは、図示例のように、電力用移動機器１は専用のコンテナ１４を用いる。電力用移動機器１を載せる略長方形状の板材のコンテナ台座と、このコンテナ台座の一側にトラックの荷台に牽引して積載する際に掛け止める係止構造と、コンテナ台座の後方側に案内車輪をそれぞれ具備したものである。
【００２５】
電力用移動機器（移動用変圧器）１をトラック９に搭載するときは、先ずトラック９を電力用移動機器１に近づける。次に、トラック９からアームロールをコンテナ１４の係止構造に近づけ、掛け止めたらこのアームロールをトラック９の前方ヘ移動させるように牽引する。最後に、電力用移動機器１をコンテナ１４ごとトラック９に搭載が完了したらコンテナ１４をトラック９に強固に固定する。その状態でトラック９を目的地２へ移動させる。トラック９が目的地２に到着したら、上述した手順と逆な手順で電力用移動機器１を降ろす。
【００２６】
なお、本発明は、電力用移動機器１に測位装置６ａや位置情報を発信する装置を搭載することで、電力用移動機器１を搬送するトラック・クレーン車９側の通信を双方向にすると共に、センター装置３からトラック・クレーン車９へ目的地２情報を送信することにより、電力用移動機器１の配置と搬送の最適化と省力化を図ることができれば、上述した発明の実施の形態に限定されず、本発明の要旨を逸脱しない範囲で種々変更できることは勿論である。
【産業上の利用可能性】
【００２７】
本発明の電力用移動機器のロケーションシステム及びその管理方法は、主に移動用変圧器の搬送と設置に利用できるが、この移動用変圧器以外の遮断器、断路器、電力ケーブル等の搬送と設置にも利用することができる。
【図面の簡単な説明】
【００２８】
【図１】本発明の電力用移動機器のロケーションシステム及びその管理方法の実施の形態を示すブロック図である。
【図２】電力用移動機器の管理方法のフロー図である。
【図３】電力用移動機器の管理方法の説明概略図である。
【図４】電力用移動機器として移動用変圧器をトラックに搭載した一例を示す側面図である。
【符号の説明】
【００２９】
１ 電力用移動機器
２ 目的地
３ センター装置
４ 電力用移動機器側装置
５ トラック・クレーン車側装置
６ 測位装置
７ 情報処理装置
８ 通信装置
９ トラック・クレーン車
１１ 記憶装置
１２ 保管場所
【図２】
0005052369.tif 000002
【図３】
0005052369.tif 000003
【図１】
0005052369.tif 000004
【図４】
0005052369.tif 000005